(57)【要約】      （修正有）【課題】身体に装着するマイクロホン、スピーカーなどの音響機器に於いて、従来方式よりも安定した身体装着と容易な着脱を実現する音響機器を提供する。【解決手段】身体に保持するために複数の支持部材１１を備え、湾曲部１３と支持部材１１の端部１２の間には無線送受信機３０が備えられている。支持部材１１は電気音響変換器２０を起点として異なる方向に延伸し、身体の前面と背面の少なくとも２点の支持点１５で支持し固定可能な支持構成を備え、身体へ装着した状態の時、電気音響変換器２０が胸部前面に位置するように構成されている。【選択図】図３
2015220556.tif 000002
【特許請求の範囲】
【請求項１】
身体に装着する音響機器であって、
電気音響変換器と、
前記電気音響変換器を身体に保持するための複数の支持部材を備え、
前記支持部材は前記電気音響変換器を起点として異なる方向に延伸し、
かつ、前記支持部材は身体の背面と前面の少なくとも２点の支持点で支持し固定可能な支持構造を有し、
身体へ装着した状態のとき、前記電気音響変換器が胸部前面に位置するように構成されたことを特徴とする音響機器。
【請求項２】
電気音響変換器の支持部材との接続部が、
前記支持点とは異なることを特徴とする請求項１記載の音響機器。
【請求項３】
前記支持部材は、
前記音響変換器を形状が非対称であることを特徴とする請求項１乃至２に記載の音響機器。
【請求項４】
前記支持部材は、
身体の前面にある前記複数の支持部材の支持点が共通する点で支持し固定可能な支持構造を有したことを特徴とする請求項３に記載の音響機器。
【請求項５】
前記支持部材は、
前記身体の形状に対応して湾曲することを特徴とする請求項１乃至４に記載の音響機器。
【請求項６】
前記音響機器は、更に、
前記複数の支持部材がそれぞれ対となる端部を備え、
前記電気音響変換器と前記端部との間に対となる少なくとも２点の湾曲点を備え、
前記少なくとも２点の前記湾曲点を結んだ距離が前記支持部材の対となる前記端部の二点の終端点を結んだ距離よりも長いことを特徴とする請求項１乃至５に記載の音響機器。
【請求項７】
前記支持部材は、更に、
外部機器との通信を行う通信手段を備えたことを特徴とする請求項1乃至６に記載の音響機器。
【請求項８】
前記通信手段は、
前記電気音響変換器で生成された電気信号を前記外部機器が受信可能な状態で信号出力することを特徴とする請求項７記載の音響機器。
【請求項９】
前記通信手段は、
前記外部機器から入力信号を受け付けて、当該入力信号を電気信号に変換して前記電気音響変換器に入力することを特徴とする請求項７記載の音響機器。
【請求項１０】
前記電気音響変換器は、
マイクロホンであることを特徴とする請求項１乃至８に記載の音響機器。
【発明の詳細な説明】
【技術分野】
【０００１】
本発明は、身体に装着して使用する音響機器に関する。
【背景技術】
【０００２】
大学の講堂等室内空間が広い場所では、マイクロホンで話者の声を収音してスピーカーから拡声する音響システムが利用されている。
【０００３】
従来の音響システムでは、話者はマイクロホンを手に持つか、タイピンのように衣服等に挟んで装着するか、あるいはマイクロホンの一部をひも等で固定して首から掛けて使用している。例えば、特許文献１には首から掛けて使用するマイクロホンが開示されている。
【先行技術文献】
【特許文献】
【０００４】
【特許文献１】特許第４９３１９０７号
【発明の概要】
【発明が解決しようとする課題】
【０００５】
ところで、従来のマイクロホンの装着方式にはいくつか問題点があった。
例えば、タイピン型のマイクロホンや特許文献１に記載のマイクロホンでは、装着の仕方（マイクロホンの位置や向き）によって、音響調整、たとえば音量の調整などがその都度必要になるという問題がある。
【０００６】
また、従来方式では、話者の動きによるマイクロホンが身体に接触した時に発生する音や、衣擦れの音を収音することがある。これにより、その収音した音の拡声音に不快なノイズが発生することがある。
【０００７】
図１４は従来の首掛け方式の音響機器３を身体に装着した状態を表す図である。
この図では話者が左右に動いていることを表している。
話者が左右に動くと、音響機器３を紐で首から掛けているため、電気音響変換器４の位置が左右に動き、動いた際にザラザラとした衣擦れの音や身体へ接触した時のドンという接触音が発生する。
【０００８】
また、従来の首掛け方式の場合、人によっては着脱しにくいという問題がある。
例えば、図１５は従来の首掛け方式の音響機器３を着脱する状態を表す図である。
人によっては髪型に強いこだわりがあり、ボリュームアップしていることが考えられる。その場合、装着ひも３が髪の毛に引っかかってしまい、髪型が崩れることで、話者は不愉快な思いをすることになる。
【０００９】
これらと同様の問題は、たとえばスピーカーを上述のような従来方式で身体に装着する場合に発生することが考えられる。すなわち、急な動きによってスピーカーの位置が変わり、音が揺れたり、拡声したい任意の方向へ拡声がうまくできなかったりすることが考えられる。
【００１０】
本発明は、このような事情に鑑みてなされたものであり、その目的は、従来方式よりも安定した身体装着と容易な着脱を実現する音響機器を提供することにある。
【課題を解決するための手段】
【００１１】
この音響機器は、電気音響変換器とそれを支持するために備えられた複数の支持部材を備えており、その支持部材は前記音響変換器を起点として異なる方向に延伸し、かつ支持部材は身体の背面と前面の少なくとも２点の支持点で支持し固定する支持構造を有し、当該音響機器を身体へ装着したとき、前記電気音響変換器が身体の胸部前面に位置するように構成されたことを特徴としている。
【００１２】
この構成によれば、音響機器を身体の前面と背面の少なくとも２点の支持点で身体に確実に固定することができる。また、電気音響変換器が身体の胸部前面に位置するような支持構造を有することで、音声等を収音する時には話者の口元から一定の距離で音声を確実に収音することができ、音声等を拡声する時には人体が向いている方向に確実に拡声できる。
【００１３】
また、音響変換器は、電気音響変換器の前記複数の支持部材との接続部が、前記支持点とは異なることを特徴としている。
【００１４】
この構成によれば、複数の支持部材に接続されている電気音響変換器の接続部が身体に接触する支持点とは異なるため、身体や衣服への接触を避けることができる。
【００１５】
さらに、前記支持部材は、前記音響変換器を中心として形状が非対称であることを特徴としている。
【００１６】
この構成によれば、一方の支持部材の長さが長い場合、より身体に接触する支持点が多くなり安定した固定が実現できる。また、支持部材の幅が広い場合も同様に身体に接触する点が広くなり安定した固定が実現できる。
【００１７】
また、非対称の形状の場合、身体の前面にある前記複数の支持部材が共通する点で固定可能な支持構造を有したことを特徴としている。
【００１８】
この構成によれば、身体の背面では２点の支持点により固定されていても、前面は共通した支持点で支持することができる。そうすることで、より少ない点で安定した固定が実現できる。
【００１９】
また、前記複数の支持部材は、身体の形状に対応して湾曲することを特徴としている。
【００２０】
この構成によれば、複数の支持部材は身体の形状に沿って湾曲し、例えば肩に掛けるようにして固定することができる。
【００２１】
前記複数の支持部材は、前記音響機器と前記複数の支持部材の端部の間に少なくとも２点の湾曲点を備え、前記２点の湾曲点を結ぶ距離が前記支持部材の端部の少なくとも２点もうけ備えられた終端点を結ぶ距離よりも短くなるように構成している。つまり、前記湾曲点から前記端部に向かうにつれて、徐々に幅狭になるような構成をしている。
【００２２】
この構成によれば、複数の支持部材の端部は対となるように備えられ、身体の背部に引っ掛かるように当該音響機器を固定している。身体の前面から複数の支持部材を両肩に掛けることができ、簡単な装着が実現できる。さらに取り外しの際も、両肩に掛けた支持部材を肩から外すだけで容易に取り外すことができる。
【００２３】
さらに、この構成では、音響機器が備えられている胸の辺りでは幅が広くなっており、身体を捻じるような動きに対して安定感が増す。胸から肩を通り背中にある支持部材の両端部に向かうにつれて幅が狭くなることで、肩の動きに影響を受けない。従って、肩をぐるぐると回すように動かしても機器の装着安定性に影響を受けないように取り付けられる。
【００２４】
さらに、前記複数の複数の支持部材には、外部機器と通信を行う通信手段を備えたことを特徴としている。
【００２５】
この構成によれば、この音響機器は生成した電気信号を外部機器へ送信、または外部機器で生成された電気信号を受信することができる。
【００２６】
通信手段は、電気信号変換器で生成された電気信号を外部機器が受信可能な形態で信号出力することを特徴としている。
【００２７】
この構成によれば、電気信号変換器によって生成された電気信号を外部機器が受信可能な形態で出力する信号出力手段を備えることができる。前記電気音響変換器は入力された音声等を電気信号に変換する機能を備えており、変換した信号を外部の音響機器、例えば、増幅器やオーディオミキサーなどに出力することができる。
【００２８】
また、通信手段は、上記の信号出力方法とは反対に、外部機器から入力信号を受け付けて、入力信号を電気信号に変換して電気音響変換器に入力することを特徴としている。
【００２９】
この構成によれば、通信手段は、外部機器から信号を受け付け、入力された信号を電気信号に変換することができる信号入力手段を備える。前記電気音響変換器は外部機器から入力された電気信号を音声等に変換して、拡声することができる。
【００３０】
なお、通信手段としては例えば、無線で信号を送受信する無線送受信機がある。
【発明の効果】
【００３１】
本発明の音響機器は、従来方式よりも安定した身体装着と機器の容易な着脱を実現することができる。
【図面の簡単な説明】
【００３２】
【図１】本発明に係る第一の実施形態の音響機器の正面図である。
【図２】本発明に係る第一の実施形態の音響機器の正面図である。
【図３】本発明に係る第一の実施形態の音響機器の模式図である。
【図４】本発明に係る第一の実施形態の音響機器を装着した時の模式図である。
【図５】本発明に係る第一の実施形態の音響機器のブロック図である。
【図６】本発明に係る第一の実施形態の音響機器を身体に装着した時の正面からの模式図である。
【図７】本発明に係る第一の実施形態の音響機器を身体に装着した時の背面からの模式図である。
【図８】本発明に係る第二の実施形態の音響機器の外観図である。
【図９】本発明に係る第二の実施形態の音響機器の外観図である。
【図１０】本発明に係る第二の実施形態の音響機器を身体に装着した時の正面からの模式図である。
【図１１】本発明に係る第二の実施形態の音響機器を身体に装着した時の背面からの模式図である。
【図１２】本発明に係る第二の実施形態の音響機器を装着する時の状態を示す模式図である。
【図１３】本発明に係る他の実施形態の音響機器のブロック図である。
【図１４】従来の音響機器の装着状態を表す図である。
【図１５】従来の音響機器の着脱時の状態を表す図である。
【符号の説明】
【００３３】
１  話者
１０  音響機器
２０  電気音響変換器
３０  無線送受信機
４０  電源装置
【発明を実施するための最良の形態】
【００３４】
＜第一の実施形態＞
本発明に係る第一の実施形態の音響機器について図面を用いて説明する。
＜構成＞
図１、図２は、音響機器１０を正面から見た外観図である。
図３、図４は、身体に音響機器１０を装着するときの状態を表す模式図である。
図５は、音響機器１０のブロック構成を示す図である。
【００３５】
図１〜４に示すように音響機器１０は、支持部材１１を有する。音響機器１０は、支持部材１１を話者の身体の両肩の上方から掛けて装着して使用する。支持部材１１は可変性のある素材を用いており、例えば鉄線を使用している。
【００３６】
この支持部材１１は、図１に示すように、少なくとも２点の支持点１５を有しており、支持点１５が身体に接触することで、音響機器が身体に固定されている。また、支持部材は、図３の破線で表している身体の肩の形状にほぼ沿うように湾曲した湾曲部１３を有している。また、図１、図２に示すように、湾曲部１３と支持部材１１の端部１２の間には無線送受信機３０が備えられている。この反対側にある支持部材１１も同じく湾曲部１３と支持部材１１の端部１２が対になるように備えられ、その間には電源装置４０が備えられている。さらに、図５のブロック図に示すように、無線送信機３０は、アンテナ３１と電気音響変換器２０の信号変換部２４から送られてきた電気信号を変調する変調部３５とアンテナ３１へ信号を送信する送信部３３を備えている。
【００３７】
また、図１と図３で表している支持点１５は説明の便宜上、その場所を示しているにすぎず、図示している場所に限らない。少なくとも身体の前面に1点と背面に１点あれば良く、その点は上述の如く、身体に接触している点であればどこでも良い。
【００３８】
なお、支持点１５は多くなればなるほど、より強固に固定することができる。
【００３９】
支持部材１１の端部１２の反対側、すなわち長さ方向に対して中央部側には電気音響変換器２０が備えられている。この電気音響変換器２０は、音声を入力した時に入力された音声を信号変換部２４で電気信号に変換し、無線送受信機３０の変調部３５に送る。
【００４０】
電源装置４０は、例えば電源装置４０の内部に組み込まれた電池４１によって給電する。電源入力部４２から入力された電気は電源出力部４３に送られ、電源出力部４３は、電気音響変換器２０と無線送受信機３０へ給電する。この電源装置４０は一次電池や二次電池、コンセントから直接電力を供給するタイプでも良い。
【００４１】
また、図示していないが、各装置のいずれかひとつに電源装置４０からの電力の供給、遮断を行う操作部、例えば電源スイッチを備えていても良い。
【００４２】
＜音響機器１０の装着の仕方＞
図１に示すように、音響機器１０は、中央付近に備えられている電気音響変換器２０を中心として、端部１２に向かい複数の支持部材１１が備えられている。この複数の支持部材１１の中央付近にある電気音響変換器２０から端部１２までの間に少なくとも二点の湾曲点１４がある。対となる各湾曲点１４を結ぶ距離αよりも対となる少なくとも二点の端部１２の終端点を結ぶ距離βの方が短くなるように構成されている。
【００４３】
これらの構成によれば、二点の湾曲点１４を結ぶ距離（α距離）が当該音響機器での最大幅となり、端部１２を結ぶ距離（β距離）が最小幅となる。こうすることで、音響機器が備えられている身体の胸部の辺りでは幅が広いので、特に身体を捻じるような動きに対して安定感が増す。
【００４４】
音響機器１０を身体に装着する際は、上記のように支持部材の湾曲点１４を最大幅（α’距離）として端部１２に向かうにつれて順次幅狭（β’距離）になっているため、支持部材１１の幅を少し開くと装着しやすくなる。（α距離＞α’距離、β距離＞β’距離）
【００４５】
この構成によれば、取り付けの際にβ距離よりも話者１の首の幅が短い場合、取り付けられないので、首の太さの幅よりも長いβ’距離まで広げることで装着できるようにする。装着後にはβ距離まで戻るようにすれば、さらに身体にしっかりと装着できる。
【００４６】
図４の矢印の方向、つまり身体の前方から肩に掛けるように音響機器１０を装着する。このような装着方法では、話者が帽子を被っていたり、髪型をセットしていたりしても、それらを気にすることなく装着できる。
【００４７】
図６は、音響機器１０を身体に装着した時の正面から見た模式図である。
電気音響変換器２０は上記のように肩の上方から掛けるように装着することで、自然と胸部の中央部付近に配置される。これにより、人種性別を問わずに話者の口元から電気音響変換器２０までの距離がほぼ一定となる。こうすることで、収音条件が定まり、不特定多数の人が使用する状況であっても、都度の音量や音質の調整が不要となる。
【００４８】
図７は、音響機器１０を身体に装着した時の背面から見た模式図である。
複数の支持部材１１の両端部１２は身体の背中に引っかかるようにして固定され、これにより音響機器１０の安定した固定が実現できている。
【００４９】
＜第二の実施形態＞
図８は本発明に係る第二の実施形態の音響機器１００を表した図である。音響機器１００の支持部材１１は、身体の側面の曲面に対応した湾曲形状をしており、話者の身体を挟み込むようにして装着して使用される。音響機器１００は、電気音響変換器２０を中心として、支持部材１１の端部１２に向かい一対の支持部材１１が備えられている。この支持部材１１の中央付近にある電気音響変換器２０から端部１２までの間に少なくとも二点の湾曲点１４がある。対となる各湾曲点１４を結ぶ距離γよりも対となる少なくとも二点の端部１２の終端点を結ぶ距離ωの方が短くなるように構成されている。これらの構成によれば、二点の湾曲点１４を結ぶ距離（γ距離）が当該音響機器での最大幅となり、端部１２を結ぶ距離（ω距離）が最小幅となる。こうすることで、音響機器が備えられている身体の胸部の辺りでは幅が広いので、特に肩を回すような動きに対して安定感が増す。
【００５０】
図９は、本発明の音響機器を装着する直前の平面図である。実際の装着の際は、上記のように支持部材の湾曲点１４を最大幅（γ’距離）として端部１２に向かうにつれて順次幅狭（ω’距離）になっているため、支持部材１１の幅を広げて身体の側面方向から装着していくことで、装着しやすくなる。（γ距離＞γ’距離、ω距離＞ω’距離）
【００５１】
図１０は、音響機器１００を身体に装着した時の正面から見た模式図であり、図１１は、背面から見た模式図である。支持部材１１は胸から脇の下を通り背部で固定されている。複数の支持部材１１の端部１２には、無線送受信機と３０と電源装置４０が備えられている。
【００５２】
図１２は、本発明の音響機器１００を装着する状態を示す模式図である。実際の装着の際は、上記のように支持部材の湾曲点１４を最大幅（γ’距離）として端部１２に向かうにつれて順次幅狭（ω’距離）になっているため、支持部材１１の幅を広げて身体の側面方向から装着していくことで、装着しやすくなる。（γ距離＞γ’距離、ω距離＞ω’距離）
【００５３】
＜電気音響変換器がスピーカーの場合＞
図１３は、電気音響変換器がマイクロホンではなく、スピーカーの場合のブロック構成を示す図である。無線受信機３０は、アンテナ３１と受信部３２と復調部３４とを備えている。無線受信機３０は、外部機器から無線信号を受信して、復調部３４で電気信号に復調した後に、電気音響変換器２０の信号変換部２４へ送る。信号変換部２４で音声信号に変換された信号は増幅部２３にて増幅され、出力される。なお、増幅量については、例えば、図示しない音量ボリューム等で話者が適切な音量に調整するようにしても良い。
【００５４】
＜その他の実施形態＞
なお、以上説明した実施形態は、本発明を適用した一実施形態であって、例えば、以下のような適用も可能である。
【００５５】
上述の支持部材１１は一体形状で構成されているが、二本以上の支持部材を組み合わせるようにしても良い。その場合、例えば、電気音響変換器２０を境に二本の支持部材をつなげるような構成にできる。
【００５６】
また、上記の実施形態では、無線通信を通じて外部機器とのやり取りを行うことを挙げたが、通信方式はこれに限らない。専用線等を用いて外部機器と直接繋げ、信号のやり取りを行っても良い。
【００５７】
また、無線通信の方式は、上記実施例に限らず、赤外線通信を用いても良い。その場合は、無線送受信機には、赤外線受光器もしくは赤外線送信器が備えられ、入力または出力した電気信号を赤外線に変換する信号変換器で変換した後に、外部機器へ送受信する。
【００５８】
また、上記の実施形態では、電気音響変換器と無線送受信機および電源装置は前記支持部材に取り付けられているが、これらの機器が前記支持部材内に組み込まれていても良い。そのような構成であると機器がスタイリッシュでスマートになり、各機器が手などにひっかかることなく、より円滑に着脱できる。
【００５９】
支持部材の素材としては、一例として鉄線を挙げたが、これに限らず可変性のある素材であれば良い。他の素材としては、チタンとニッケルの合金、いわゆる形状記憶合金などがある。これらの可変性がある素材を板状に伸ばした後に、筒状に形成し、その中に上記の各機器をいれるような構成にしても良い。
【００６０】
また、上記実施形態では、本発明の音響機器は肩からかけることで固定するようにしているが、これに加えて、前記支持部材に衣服などへの取り付け手段を備えても良い。取り付け手段には、例えば支持部材の一部に洗濯バサミのような形状の部品を備えて、衣服を挟み込んで固定する手段がある。こうすることで、より安定した装着が可能となる。
【図１】
2015220556.tif 000003
【図２】
2015220556.tif 000004
【図３】
2015220556.tif 000005
【図４】
2015220556.tif 000006
【図５】
2015220556.tif 000007
【図６】
2015220556.tif 000008
【図７】
2015220556.tif 000009
【図８】
2015220556.tif 000010
【図９】
2015220556.tif 000011
【図１０】
2015220556.tif 000012
【図１１】
2015220556.tif 000013
【図１２】
2015220556.tif 000014
【図１３】
2015220556.tif 000015
【図１４】
2015220556.tif 000016
【図１５】
2015220556.tif 000017